(57)【要約】【課題】搬送経路に沿って搬送される原稿の一方の面の画像を読み取る第１画像読取部と、上記搬送経路に沿って搬送される上記原稿の他方の面の画像を読み取る第２画像読取部とを備えた画像読取装置において、各画像読取部から処理部に出力される信号間のクロストークを低減すること。【解決手段】第１読取デバイス２１０（第１画像読取部）のＣＩＳ２１１が出力するアナログ信号ＡＯは、コネクタ２１２，第１ハーネス４１０を順次経由して制御基板４５０に伝達される。第２読取デバイス２３０（第２画像読取部）のＣＩＳ２３１が出力するアナログ信号ＡＯは、サンプルホールド回路２３４，Ａ／Ｄ変換回路２３５によってデジタル値に変換され、ＬＶＤＳインタフェース２３８にて差動伝送方式のデジタル信号ＤＯに変換された上で、コネクタ２３２，第２ハーネス４３０を経由して制御基板４５０に伝達される。このため、アナログ信号ＡＯとデジタル信号ＤＯではクロストークが起こり難い。【選択図】図３
2011182089.tif 000002
【特許請求の範囲】
【請求項１】
搬送経路に沿って搬送される原稿の一方の面の画像を読み取って、読み取った画像に対応するアナログ信号を出力する第１画像読取部と、
上記搬送経路に沿って搬送される上記原稿の他方の面の画像を読み取って、読み取った画像に対応するデジタル信号を差動伝送方式で出力する第２画像読取部と、
上記第１画像読取部が出力したアナログ信号及び上記第２画像読取部が出力したデジタル信号を処理する処理部と、
を備えたことを特徴とする画像読取装置。
【請求項２】
上記第１画像読取部が出力したアナログ信号を上記処理部に伝達する第１ハーネスと、
上記第２画像読取部が出力したデジタル信号を上記処理部に伝達する第２ハーネスと、
原稿が載置される透明な原稿台と、
を備え、
上記第２画像読取部は、上記原稿台が固定された基体に設けられ、かつ、上記搬送経路に沿って搬送される上記原稿の上記他方の面の画像を上記基体内で静止しながら読み取る読取動作と、上記原稿台に載置された原稿の片面の画像を上記原稿台に沿って副走査方向に移動しながら読み取る読取動作とを実行可能に構成され、
上記第２ハーネスは、上記第２画像読取部の上記移動を許容する長さを有することを特徴とする請求項１記載の画像読取装置。
【請求項３】
上記原稿台の表面に開閉可能に設けられ、上記原稿台の表面に閉じられることによって上記原稿台に載置された原稿を覆う原稿カバーを、
更に備え、
上記第１画像読取部は、上記搬送経路に沿って搬送される原稿の画像を読み取る第１検知部を備えて、その第１検知部が読み取った画像に対応するアナログ信号を出力し、
上記処理部は、上記第１画像読取部が出力したアナログ信号をデジタル信号に変換する第１変換部を備え、
上記第２画像読取部は、上記搬送経路に沿って搬送される原稿の画像または上記原稿台に載置された原稿の画像を読み取る第２検知部と、その第２検知部が読み取った画像に対応するアナログ信号をデジタル信号に変換する第２変換部と、その第２変換部によって変換されたデジタル信号を上記デジタル信号として差動伝送方式で出力する差動伝送部と、を備え、
上記第１画像読取部は上記原稿カバーに設けられたことを特徴とする請求項２記載の画像読取装置。
【請求項４】
上記搬送経路に沿って搬送される原稿の上記他方の面の画像のみを上記第２画像読取部を介して読み取る動作モードを備えた請求項１〜３のいずれか１項に記載の画像読取装置であって、
上記第２画像読取部による１画素当りの読取速度が、上記第１画像読取部による１画素当りの読取速度よりも早いことを特徴とする画像読取装置。
【発明の詳細な説明】
【技術分野】
【０００１】
本発明は、原稿の画像を読み取る画像読取装置に関し、詳しくは、搬送経路に沿って搬送される原稿の一方の面の画像を読み取る第１画像読取部と、上記搬送経路に沿って搬送される上記原稿の他方の面の画像を読み取る第２画像読取部とを備えた画像読取装置に関する。
【背景技術】
【０００２】
従来より、スキャナ，複写機，ファクシミリ装置等の機器には、原稿の画像を読み取る画像読取装置が適用されている。この種の画像読取装置で原稿の表裏両面の画像を読み取る構成としては、原稿の搬送経路を工夫して原稿を反転させることによって１つの画像読取部により表裏両面の画像を読み取る構成も提案されているが、近年、２つの画像読取部により表裏両面の画像を同時に読み取る構成も提案されている。例えば、搬送経路に沿って搬送される原稿の一方の面の画像を読み取る第１画像読取部と、上記搬送経路に沿って搬送される上記原稿の他方の面の画像を読み取る第２画像読取部とを備えた画像読取装置では、上記第１画像読取部による上記一方の面の画像読取動作と、上記第２画像読取部による上記他方の面の画像読取動作とを並行して実行でき、読取速度を向上させることができる（例えば、特許文献１参照）。
【先行技術文献】
【特許文献】
【０００３】
【特許文献１】特開２００４−４０３１１号公報
【発明の概要】
【発明が解決しようとする課題】
【０００４】
ところが、上記のように２つの画像読取部を使用する場合、各画像読取部からの信号を１つの処理部で処理しようとすると、各画像読取部からの信号同士が干渉するいわゆるクロストークが発生する可能性がある。そこで、本発明は、搬送経路に沿って搬送される原稿の一方の面の画像を読み取る第１画像読取部と、上記搬送経路に沿って搬送される上記原稿の他方の面の画像を読み取る第２画像読取部とを備えた画像読取装置において、各画像読取部から処理部に出力される信号間のクロストークを低減することを目的としてなされた。
【課題を解決するための手段】
【０００５】
上記目的を達するためになされた本発明の画像読取装置は、搬送経路に沿って搬送される原稿の一方の面の画像を読み取って、読み取った画像に対応するアナログ信号を出力する第１画像読取部と、上記搬送経路に沿って搬送される上記原稿の他方の面の画像を読み取って、読み取った画像に対応するデジタル信号を差動伝送方式で出力する第２画像読取部と、上記第１画像読取部が出力したアナログ信号及び上記第２画像読取部が出力したデジタル信号を処理する処理部と、を備えたことを特徴としている。
【０００６】
このように構成された本発明の画像読取装置では、第１画像読取部は、搬送経路に沿って搬送される原稿の一方の面の画像を読み取って、読み取った画像に対応するアナログ信号を出力し、第２画像読取部は、上記搬送経路に沿って搬送される上記原稿の他方の面の画像を読み取って、読み取った画像に対応するデジタル信号を差動伝送方式で出力する。すると、処理部は、上記第１画像読取部が出力したアナログ信号及び上記第２画像読取部が出力したデジタル信号を処理する。
【０００７】
ここで、上記第１画像読取部から上記処理部へ出力される信号はアナログ信号であり、上記第２画像読取部から上記処理部へ出力される信号は、デジタル信号であってしかも低電圧化が可能でノイズを発生し難い差動伝送方式の信号である。このため、本発明の画像読取装置では、上記各画像読取部から上記処理部に出力される信号間で干渉が起こり難く、その信号間のクロストークを低減することができ、原稿の表裏両面から読み取られた画像に対する処理を正確に実行することができる。
【０００８】
なお、本発明は以下の構成に限定されるものではないが、上記第１画像読取部が出力したアナログ信号を上記処理部に伝達する第１ハーネスと、上記第２画像読取部が出力したデジタル信号を上記処理部に伝達する第２ハーネスと、原稿が載置される透明な原稿台と、を備え、上記第２画像読取部は、上記原稿台が固定された基体に設けられ、かつ、上記搬送経路に沿って搬送される上記原稿の上記他方の面の画像を上記基体内で静止しながら読み取る読取動作と、上記原稿台に載置された原稿の片面の画像を上記原稿台に沿って副走査方向に移動しながら読み取る読取動作とを実行可能に構成され、上記第２ハーネスは、上記第２画像読取部の上記移動を許容する長さを有してもよい。
【０００９】
この場合、上記第１画像読取部が出力したアナログ信号は、第１ハーネスを介して上記処理部に伝達され、上記第２画像読取部が出力したデジタル信号は、第２ハーネスを介して上記処理部に伝達される。また、上記第２画像読取部は、原稿台が固定された基体に設けられ、かつ、上記搬送経路に沿って搬送される上記原稿の上記他方の面の画像を上記基体内で静止しながら読み取る読取動作と、上記原稿台に載置された原稿の片面の画像を上記原稿台に沿って副走査方向に移動しながら読み取る読取動作とを実行可能に構成されている。そこで、上記第２ハーネスは、上記第２画像読取部の上記移動を許容する長さを有している。
【００１０】
このように長い第２ハーネスが適用される場合は、その第２ハーネスを伝達される信号からノイズが発生し易い。そこで、第２ハーネスを伝達される信号として、前述のように差動伝送方式のデジタル信号を採用すれば、上記第１ハーネスを伝達される信号と上記第２ハーネスを伝達される信号とのクロストークを低減する効果が一層顕著に表れる。
【００１１】
そして、その場合、上記原稿台の表面に開閉可能に設けられ、上記原稿台の表面に閉じられることによって上記原稿台に載置された原稿を覆う原稿カバーを、更に備え、上記第１画像読取部は、上記搬送経路に沿って搬送される原稿の画像を読み取る第１検知部を備えて、その第１検知部が読み取った画像に対応するアナログ信号を出力し、上記処理部は、上記第１画像読取部が出力したアナログ信号をデジタル信号に変換する第１変換部を備え、上記第２画像読取部は、上記搬送経路に沿って搬送される原稿の画像または上記原稿台に載置された原稿の画像を読み取る第２検知部と、その第２検知部が読み取った画像に対応するアナログ信号をデジタル信号に変換する第２変換部と、その第２変換部によって変換されたデジタル信号を上記デジタル信号として差動伝送方式で出力する差動伝送部と、を備え、上記第１画像読取部は上記原稿カバーに設けられてもよい。
【００１２】
この場合、上記第１画像読取部は、上記搬送経路に沿って搬送される原稿の画像を読み取る第１検知部を備えて、その第１検知部が読み取った画像に対応するアナログ信号を出力する。すると、上記処理部は、自身が備えた第１変換部により、上記第１画像読取部が出力したアナログ信号をデジタル信号に変換する。
【００１３】
一方、上記第２画像読取部は、上記搬送経路に沿って搬送される原稿の画像または上記原稿台に載置された原稿の画像を読み取る第２検知部と、その第２検知部が読み取った画像に対応するアナログ信号をデジタル信号に変換する第２変換部と、その第２変換部によって変換されたデジタル信号を上記デジタル信号として差動伝送方式で出力する差動伝送部と、を備えている。このため、上記第２画像読取部は、第２検知部が出力したアナログ信号を第２変換部によりデジタル信号に変換し、更に差動伝送部を介してそのデジタル信号を差動伝送方式で出力する。
【００１４】
第１画像読取部と第２画像読取部とをこのように構成した場合、第１画像読取部は第２画像読取部に比べて大幅に小型軽量化が可能となる。そこで、上記原稿台の表面に開閉可能に設けられてその原稿台の表面に閉じられることによって上記原稿台に載置された原稿を覆う原稿カバーには、上記のように小型軽量化が可能な第１画像読取部を設けるのである。この場合、上記第２画像読取部を原稿カバーに設ける場合に比べて、原稿カバーの操作性を良好に向上させることができる。
【００１５】
また、上記搬送経路に沿って搬送される原稿の上記他方の面の画像のみを上記第２画像読取部を介して読み取る動作モードを備えた上記いずれかに記載の画像読取装置において、上記第２画像読取部による１画素当りの読取速度が、上記第１画像読取部による１画素当りの読取速度よりも早くてもよい。
【００１６】
この場合、上記搬送経路に沿って搬送される原稿の上記他方の面の画像のみを読み取る動作モードが実行されるときに、１画素当りの読取速度が早い上記第２画像読取部のみが使用されるので、読取動作の効率を向上させることができる。
【図面の簡単な説明】
【００１７】
【図１】本発明を適用した複合機の構成を概略的に表す斜視図である。
【図２】その複合機の画像読取装置の構成を模式的に表す断面図である。
【図３】その画像読取装置の制御系の構成を表すブロック図である。
【図４】その画像読取装置で伝達される信号を例示する説明図である。
【発明を実施するための形態】
【００１８】
次に、本発明の実施の形態を図面と共に説明する。図１は、本発明が適用された複合機１の構成を概略的に表す斜視図であり、図２は、その複合機１に搭載された画像読取装置１０の構成を模式的に表す断面図である。なお、図１に示すように複合機１は、基体２０の上面に原稿カバー３０を開閉可能に備えている。
【００１９】
［画像読取装置の全体の構成］
図２に示すように、基体２０の上端面には、本実施の形態の画像読取装置１０がフラットベットスキャナとして使用される場合に原稿（図示省略）が載置されるガラス製の原稿台２１が設けられている。そして、原稿カバー３０は、原稿台２１の表面に閉じられることによってその原稿台２１に載置された原稿を覆うように、基体２０の上端面の一辺（以下、その辺の側を後側ともいう）の端縁にヒンジ２３（図１参照）を介して開閉自在に取り付けられている。
【００２０】
また、この原稿カバー３０は、図２に示すように、ＡＤＦ（Auto Document Feeder）を備える原稿カバーとして構成され、給紙トレイ１１０に載置された原稿を搬送経路に沿って搬送しＡＤＦとして機能する搬送部１００と、搬送経路を搬送される原稿の表面と裏面とについて並行して画像読み取りを行うことが可能な第１読取デバイス２１０，第２読取デバイス２３０とを備えている。
【００２１】
搬送部１００は、給紙トレイ１１０に載置された原稿を、搬送経路（図２の点線）に沿って排紙トレイ１３０まで搬送する搬送ローラ１２１〜１２９を備えている。また、この搬送経路には、上流側読取位置と下流側読取位置とが設けられており、原稿の裏面（一方の面に相当）の画像読み取りを行うための第１読取デバイス２１０（第１画像読取部の一例）が上流側読取位置に対応して設けられており、更に、上流側読取位置を通過する原稿を第１読取デバイス２１０の読取面に押圧する裏面用原稿押え２２０が設けられている。また、原稿台２１に設けられた、原稿の表面（他方の面に相当）の画像読み取りのための第２読取デバイス２３０（第２画像読取部の一例）が下流側読取位置に対応する位置に移動可能に構成されており、下流側読取位置を通過する原稿を第２読取デバイス２３０の読取面に押圧する表面用原稿押え２４０が設けられている。
【００２２】
更に、この搬送経路上には、対応する位置を搬送中の原稿の有無を検知するための原稿センサとして、Ｆセンサ３１０，ＲＢセンサ３２０，Ｒセンサ３３０が設けられている。また、第２読取デバイス２３０は、モータ３５１によって回転駆動される駆動プーリ３５３と従動プーリ３５５との間に架設された無端ベルト３５７に固定されており、モータ３５１の回転に応じて原稿台２１の下方を副走査方向（左右方向）に移動可能である。
【００２３】
図１に示すように、第１読取デバイス２１０，第２読取デバイス２３０は、フレキシブルフラットケーブル（ＦＦＣ）からなる第１ハーネス４１０，第２ハーネス４３０を介して、基体２０の内部に設けられた制御基板４５０（処理部の一例）に接続されている。なお、第２ハーネス４３０は、図１に模式的に示すように、第２読取デバイス２３０が原稿台２１（図２参照）の下方を副走査方向全域に亘って移動するのを許容する長さを有しており、ヒンジ２３の近傍で第１ハーネス４１０と合流して制御基板４５０に向けて配線されている。更に、基体２０の内部には、電子写真方式によって被記録媒体の一例としての用紙に画像を形成する画像形成部８００が設けられている。
【００２４】
［画像読取部の制御系の構成］
次に、図３は、画像読取装置１０の制御系の構成を表すブロック図である。図３に示すように、第１読取デバイス２１０は、スタート信号ＳＰが入力されたとき、主走査方向（前後方向）の１ライン分の画像に対応するアナログ信号ＡＯを、クロック信号ＣＬＫ１に同期して１画素分ずつ出力するＣＩＳ２１１（第１検知部の一例）を備えている。スタート信号ＳＰ，クロック信号ＣＬＫ１は、第１ハーネス４１０を介して制御基板４５０から伝達され、第１読取デバイス２１０の外周面に設けられたコネクタ２１２を介してＣＩＳ２１１に入力される。また、ＣＩＳ２１１が出力するアナログ信号ＡＯは、コネクタ２１２，第１ハーネス４１０を順次経由して、制御基板４５０に伝達される。なお、図３では、光源やその光路を形成するレンズ等も含めて、１つのＣＩＳ２１１というブロックで表現している。
【００２５】
第２読取デバイス２３０も、第１読取デバイス２１０と同様に、スタート信号ＳＰが入力されたとき、主走査方向１ライン分の画像に対応するアナログ信号ＡＯを、クロック信号ＣＬＫ２に同期して１画素分ずつ出力するＣＩＳ２３１（第２検知部の一例）を備えている。但し、スタート信号ＳＰ，クロック信号ＣＬＫ２は、第２ハーネス４３０を介して制御基板４５０から伝達され、第２読取デバイス２３０の外周面に設けられたコネクタ２３２と第２読取デバイス２３０の内部に設けられたタイミング生成回路２３３とを順次経由してＣＩＳ２３１に入力される。
【００２６】
タイミング生成回路２３３は、スタート信号ＳＰ，クロック信号ＣＬＫ２をＣＩＳ２３１に入力する他、そのクロック信号ＣＬＫ２をサンプルホールド回路（Ｓ／Ｈ回路）２３４とＡ／Ｄ変換回路２３５とへも入力している。また、タイミング生成回路２３３は、サンプルホールド回路２３４へは次のようなサンプルホールド信号ＳＨ２も入力している。すなわち、ＣＩＳ２１１，２３１が出力するアナログ信号ＡＯは、そのＣＩＳ２１１，２３１に内蔵されたアンプで増幅される影響などにより、図４に例示するように一定の時定数をもって遅延された波状の波形を呈する。そこで、サンプルホールド信号ＳＨ２は、その波形の頂点近傍で各画素からの受光量を最も良好に表す値が取得できるタイミングで、トリガパルスなどの形態で出力される。
【００２７】
こうして、サンプルホールド信号ＳＨ２の出力に応じてサンプルホールド回路２３４にて取得された値（アナログ値）は、第２読取デバイス２３０に内蔵されたＡ／Ｄ変換回路２３５によってデジタル値に変換される。続いて、そのデジタル値は、ＬＶＤＳインタフェース２３８にて差動伝送方式のデジタル信号ＤＯに変換された上で、コネクタ２３２，第２ハーネス４３０を経由して制御基板４５０に伝達される。
【００２８】
すなわち、サンプルホールド回路２３４及びＡ／Ｄ変換回路２３５が第２変換部に相当し、ＬＶＤＳインタフェース２３８が差動伝送部に相当する。なお、差動伝送方式ではグランド，＋，−の３本の信号線が必要であるが、図３では、簡略化のため、デジタル信号ＤＯの伝達ラインを１本だけ図示している。
【００２９】
次に、制御基板４５０は、第１ハーネス４１０を介して第１読取デバイス２１０と上記各信号の入出力を行うコネクタ４５１と、第２ハーネス４３０を介して第２読取デバイス２３０と上記各信号の入出力を行うコネクタ４５３と、各種処理を実行するＡＳＩＣ４６０とを備えている。ＡＳＩＣ４６０は、第２読取デバイス２３０と同様に、第１読取デバイス２１０のＣＩＳ２１１から伝達された前述のアナログ信号ＡＯをデジタル信号に変換するサンプルホールド回路（Ｓ／Ｈ）４６１とＡ／Ｄ変換回路４６３とを備えている（第１変換部に相当）。
【００３０】
また、ＡＳＩＣ４６０は、上記サンプルホールド回路４６１にサンプルホールド信号ＳＨ１を出力すると共に前述のクロック信号ＣＬＫ１，ＣＬＫ２，スタート信号ＳＰ，切替信号を出力するタイミング生成回路４６５や、第２読取デバイス２３０から差動伝送方式で伝達されたデジタル信号ＤＯを通常のデジタル信号に変換するＬＶＤＳインタフェース（ＬＶＤＳＩ／Ｆ）４６７を備えている。なお、タイミング生成回路４６５は、第１読取デバイス２１０，第２読取デバイス２３０に対して共通のスタート信号ＳＰを１つの端子から出力し、そのスタート信号ＳＰはＡＳＩＣ４６０の外部で分割されて、コネクタ４５１，４５３を介して伝達される。
【００３１】
Ａ／Ｄ変換回路４６３やＬＶＤＳインタフェース４６７から出力されたデジタル信号は、前述のタイミング生成回路４６５の他、ＣＰＵ４７１，ＲＯＭ４７３，ＲＡＭ４７５，ＮＶＲＡＭ４７７，画像処理部４７９が接続されたバスライン４６９に伝達される。このため、ＡＳＩＣ４６０では、第１読取デバイス２１０，第２読取デバイス２３０を介して読み取られた画像をＲＡＭ４７５の内部に設定されたラインバッファに展開し、画像処理部４７９を介して画像形成部８００に駆動信号を出力するなどの処理が実行可能となる。
【００３２】
［本実施の形態の効果］
このように構成された本実施の形態の画像読取装置１０では、第１ハーネス４１０，第２ハーネス４３０を介して次のような信号が伝達され、その信号同士のクロストークを低減することができる。図４（Ａ）は、原稿の両面の画像を読み取る際に第１ハーネス４１０を介して伝達される信号を例示する説明図であり、図４（Ｂ）はその際に第２ハーネス４３０を介して伝達される信号を例示する説明図である。
【００３３】
図４（Ａ），（Ｂ）に示すように、第１読取デバイス２１０，第２読取デバイス２３０には、各ラインの画像の読取開始タイミングでスタート信号ＳＰが第１ハーネス４１０，第２ハーネス４３０を介して伝達される。すると、図４（Ａ）に示すように、ＣＩＳ２１１は、クロック信号ＣＬＫ１に同期して１画素分ずつ波状のアナログ信号ＡＯを出力し、そのアナログ信号ＡＯは第１ハーネス４１０を介して制御基板４５０に伝達される。
【００３４】
また、図４（Ｂ）に示すように、ＣＩＳ２３１は、スタート信号ＳＰが伝達されるとクロック信号ＣＬＫ２に同期して１画素分ずつ波状のアナログ信号ＡＯを出力する。このアナログ信号ＡＯからは、サンプルホールド回路２３４にてサンプルホールド信号ＳＨ２の出力に合わせてデジタル値が取得された後、Ａ／Ｄ変換回路２３５にてデジタル値に変換される。変換後のデジタル値は、ＬＶＤＳインタフェース２３８によって差動伝送方式のデジタル信号ＤＯとして、第２ハーネス４３０を介して制御基板４５０に伝達される。
【００３５】
なお、図４（Ｂ）に示すように、クロック信号ＣＬＫ２の周期はクロック信号ＣＬＫ１の周期の２分の１であり、アナログ信号ＡＯが１ライン分（画素数をＮとする）出力されるまでに、第１〜第Ｎ画素に関するデジタル信号ＤＯの出力は完了してしまう。そこで、第Ｎ画素に関するデジタル信号ＤＯの出力後は、ＬＶＤＳインタフェース２３８からは、デジタル信号ＤＯとしてＮＵＬデータ（図４には「Ｚ」と表記）がデジタル信号ＤＯとして出力される。
【００３６】
このように、本実施の形態では、第１ハーネス４１０を伝達される信号はアナログ信号ＡＯであり、第２ハーネス４３０を伝達される信号は、デジタル信号ＤＯであってしかも低電圧化が可能でノイズを発生し難い差動伝送方式の信号である。このため、本実施の形態では、第１ハーネス４１０，第２ハーネス４３０を伝達される信号間で干渉が起こり難く、その信号間のクロストークを低減することができる。従って、原稿の表裏両面から読み取られた画像に対する処理を正確に実行することができる。
【００３７】
また、第２ハーネス４３０は、第２読取デバイス２３０が原稿台２１の下方を副走査方向全域に亘って移動するのを許容する長さを有しており、ヒンジ２３の近傍で第１ハーネス４１０と合流して制御基板４５０に向けて配線されている。このように長い第２ハーネス４３０が適用される場合は、その第２ハーネス４３０を伝達される信号からノイズが発生し易く、第１ハーネス４１０と合流することによってその第１ハーネス４１０を伝達される信号と干渉し易くなる。そこで、本実施の形態では、第２ハーネス４３０を伝達される信号として、前述のように差動伝送方式のデジタル信号を採用したのである。このため、本実施の形態では、第１ハーネス４１０を伝達される信号と第２ハーネス４３０を伝達される信号とのクロストークを低減する効果が一層顕著に表れる。
【００３８】
また、第１読取デバイス２１０は、ＣＩＳ２１１とコネクタ２１２とを備えていればよく、第２読取デバイス２３０に比べて大幅に小型軽量化が可能となる。そこで、本実施の形態では、第１読取デバイス２１０を原稿カバー３０に設けている。このため、第２読取デバイス２３０を原稿カバー３０に設ける場合に比べて、原稿カバー３０の操作性を良好に向上させることができる。
【００３９】
一方、第２読取デバイス２３０では、１つのデバイスの中でＡ／Ｄ変換までなされるので、アナログ波形が転送中になまされることが少なく、ＣＩＳ２３１の読取速度を早く設定することができる。例えば、図４（Ａ）、（Ｂ）に例示したアナログ信号ＡＯからも明らかなように、本実施の形態では、ＣＩＳ２３１による１画素当りの読取速度がＣＩＳ２１１の読取速度の２倍に設定されている。
【００４０】
このため、第２読取デバイス２３０を上記下流側読取位置に配置して原稿の片面の画像を読み取る動作や、第２読取デバイス２３０を原稿台２１の下方に沿って移動させて原稿の片面の画像のみを読み取る動作を実行する場合は、次のように高速に読み取ることができる。すなわち、図４（Ｃ）に例示するように、図４（Ｂ）でＮＵＬデータが出力されたタイミングで次のラインの読み取りを指示するスタート信号ＳＰを出力することにより、両面読取時の約２倍の速度で読み取ることができるのである。
【００４１】
本実施の形態の複合機では、例えば、原稿の両面の画像を読み取って、画像形成部８００により同様の画像を用紙の両面に形成する両面複写制御も実行可能であるが、この場合、用紙の両面に画像を形成するのには片面の２倍の時間がかかる。このため、上記のように、原稿の両面の画像を読み取るのに要する時間が片面の画像を読み取るのに要する時間の２倍になっても、上記両面複写制御の効率には影響を及ぼさない。
【００４２】
なお、ＣＰＵ４７１は、上記両面複写制御の他に、図示省略したモデムを介して読み取られた画像を送信するファクシミリ送信制御や、読み取られた画像のデータを各種記憶媒体に記憶するスキャナ制御を実行可能であってもよい。すなわち、本発明の画像読取装置は、必ずしも画像形成部を備えた装置に組み込まれる必要はない。
【００４３】
更に、本発明は上記実施の形態に何等限定されるものではなく、本発明の要旨を逸脱しない範囲で種々の形態で実施することができる。例えば、処理部は、第１画像読取部が出力したアナログ信号または第２画像読取部が出力したデジタル信号に、例えばタイムスタンプの添付等の何らかの簡単な加工を施すだけの処理を実行するものであってもよい。
【符号の説明】
【００４４】
１…複合機        １０…画像読取装置        ２０…基体        ２１…原稿台
２３…ヒンジ      ３０…原稿カバー          １００…搬送部
２１０…第１読取デバイス                    ２１１，２３１…ＣＩＳ
２３０…第２読取デバイス                    ２３３，４６５…タイミング生成回路
２３４，４６１…サンプルホールド回路        ２３５，４６３…Ａ／Ｄ変換回路
２３８，４６７…ＬＶＤＳインタフェース      ４１０…第１ハーネス
４３０…第２ハーネス                        ４５０…制御基板
２１２，２３２，４５１，４５３…コネクタ    ４６０…ＡＳＩＣ
４７９…画像処理部                          ８００…画像形成部
【図１】
2011182089.tif 000003
【図２】
2011182089.tif 000004
【図３】
2011182089.tif 000005
【図４】
2011182089.tif 000006